(57)【要約】    【課題】  遊技媒体検出手段側の異常を検出できると共に、その異常内容を容易に判断できる遊技機を提供する。    【解決手段】  遊技球等の遊技媒体を検出可能な遊技媒体検出手段25,26 の遊技媒体検出手段25,26 側の第１の電気的異常を検出する第１異常検出手段48,49 と、遊技媒体検出手段25,26 側の第２の電気的異常を検出する第２異常検出手段50,51 とを別々に設ける。従って、遊技媒体検出手段25,26 側の第１の電気的異常と第２の電気的異常とを検出でき、また異常原因も判る。【選択図】    図４
2004154595.tif 000002
【特許請求の範囲】
【請求項１】
遊技球等の遊技媒体を検出可能な遊技媒体検出手段(25)(26)を備えた遊技機において、前記遊技媒体検出手段(25)(26)側の第１の電気的異常を検出する第１異常検出手段(48)(49)と、前記遊技媒体検出手段(25)(26)側の第２の電気的異常を検出する第２異常検出手段(50)(51)とを別々に設けたことを特徴とする遊技機。
【発明の詳細な説明】
【技術分野】
【０００１】
本発明は、パチンコ機、アレンジボール機、雀球遊技機、回動式遊技機等の遊技機に関するものである。
【背景技術】
【０００２】
遊技機には、遊技媒体として遊技球を使用するパチンコ機、アレンジボール機、雀球遊技機等の弾球遊技機と、コイン等を使用する回動式遊技機とがある。
【０００３】
この種の遊技機では、遊技媒体検出手段で遊技球、コイン等の遊技媒体を検出して遊技動作を制御する等の所定の制御を行っているため、遊技媒体検出手段側のコネクタ、リード線等に断線、短絡等の異常が生じた場合には、その異常を確実に検出し把握する必要がある。そのため各遊技媒体検出手段に対応して異常検出手段を設け、遊技媒体検出手段側のコネクタ、リード線等に断線又は短絡が発生したときに、異常検出手段によりその異常を検出するようにしている。
【０００４】
従来の異常検出手段は、遊技媒体検出手段側のコネクタ、リード線等の断線、短絡の何れの場合にも、それを異常として一種類の異常信号を出力するようになっている。
【発明の開示】
【発明が解決しようとする課題】
【０００５】
遊技媒体検出手段側に異常が発生した場合、その断線と短絡では修理等に際しての対応が異なる。しかし、従来の異常検出手段では、断線、短絡を区別せずに異常信号を出力するため、その異常信号からは異常原因を容易に判断できない。従って、異常検出手段から異常信号があれば、先ずその異常が断線と短絡との何れによるものかを検査して、その異常原因を確認する必要があり、検査、修理等に時間を要する問題がある。
【０００６】
本発明は、このような従来の課題に鑑み、遊技媒体検出手段側の異常を検出できると共に、その異常内容を容易に判断できる遊技機を提供することを目的とする。
【課題を解決するための手段】
【０００７】
本発明は、遊技球等の遊技媒体を検出可能な遊技媒体検出手段25,26 を備えた遊技機において、前記遊技媒体検出手段25,26 側の第１の電気的異常を検出する第１異常検出手段48,49 と、前記遊技媒体検出手段25,26 側の第２の電気的異常を検出する第２異常検出手段50,51 とを別々に設けたものである。
【発明の効果】
【０００８】
本発明によれば、遊技媒体検出手段25,26 側の第１の電気的異常を検出する第１異常検出手段48,49 と、遊技媒体検出手段25,26 側の第２の電気的異常を検出する第２異常検出手段50,51 とを別々に設けているので、遊技媒体検出手段25,26 側の異常を検出できると共に、その異常内容が第１の電気的異常と第２の電気的異常との何れであるかを容易に判断できる。
【発明を実施するための最良の形態】
【０００９】
以下、本発明の実施形態を図面に基づいて詳述する。図１から図８は本発明をパチンコ機に採用した第１の実施形態を例示し、図１及び図２において、1 はパチンコ機本体（弾球遊技機本体）で、矩形枠状の外枠2 と、この外枠2 の前側に開閉自在に枢着された前枠3 とを備えている。
【００１０】
前枠3 には遊技盤4 が裏側から着脱自在に装着され、この遊技盤4 の前側にガラス扉5 と前面板6 とが開閉自在に配置されている。前面板6 には、発射用の遊技球を貯留する上皿7 が装着されている。前枠3 の下部には、余剰球を貯留する下皿8 と、発射手段9 の発射ハンドル10とが夫々設けられている。
【００１１】
遊技盤4 には、図３に示すように、ガイドレール11が環状に装着されると共に、そのガイドレール11の内側の遊技領域12に普通図柄始動手段13、特別図柄始動入賞手段14、液晶表示手段15、可変入賞手段16、普通入賞手段17〜19等の遊技部品が装着され、またガイドレール11の外側の左右一側に異常報知用の第１報知手段20が設けられている。
【００１２】
液晶表示手段15は、特別図柄を表示する特別図柄表示手段21と、その上側に配置された普通図柄表示手段22とを備えている。特別図柄表示手段21は、特別図柄始動入賞手段14が遊技球の入賞を検出したときに、複数個の特別図柄が乱数制御により所定時間変動して停止するように構成されている。
【００１３】
普通図柄表示手段22は、普通図柄始動手段13が遊技球の通過を検出したときに、普通図柄が乱数制御により所定時間変動して停止するようになっている。なお、特別図柄始動入賞手段14は、普通図柄表示手段22の変動後の停止図柄が当たり図柄を表示することを条件に、左右一対の開閉爪23が所定時間開放するようになっている。
【００１４】
可変入賞手段16は、特別図柄表示手段21の変動後の停止図柄が大当たり図柄を表示することを条件に開閉板24が開放して、遊技球が入賞し易くなるように構成されている。この可変入賞手段16には、その内部の特定領域を通過する遊技球を検出する第１球検出手段25と、入賞した遊技球を検出する第２球検出手段26とが設けられ、第１球検出手段25が遊技球を検出したときに、開閉板24が一旦閉じた後に再度開放し、第２球検出手段26が遊技球を１０個検出したときに開閉板24が閉じるようになっている。
【００１５】
第１報知手段20は、後述のように球検出手段25,26 側にコネクタ、リード線等の断線、短絡による異常が発生したときに、その異常が発生した球検出手段25,26 及び異常原因を表示して報知するためのものである。
【００１６】
前枠3 の裏側には、図２に示すように、遊技盤4 を裏側から押さえる裏機構板27が開閉自在に装着されている。裏機構板27には開口部28が形成され、その上側に遊技球タンク29及びタンクレール30が、左右方向の一側に球払い出し手段31が、下側に通路ユニット32が夫々設けられている。
【００１７】
遊技球タンク29は、外部の遊技球補給系から補給された遊技球を貯留し、タンクレール30を経て球払い出し手段31側へと供給するためのものである。球払い出し手段31は、払い出しケース31a と、この払い出しケース31a 内に組み込まれた繰り出し用の回転体31b と、払い出し指令があったときに回転体31b を駆動する払い出しモータ33とを備え、遊技球タンク29内の遊技球を回転体31b の回転により、通路ユニット32を介して上皿7 側へと払い出すように構成されている。球払い出し手段31には払い出された遊技球を検出する球検出手段34が出口側に設けられ、この球検出手段34の出力により遊技球の払い出し個数を確認するようになっている。従って、球払い出し手段31は、球検出手段34を備えたユニット状に構成されている。
【００１８】
開口部28には、遊技盤4 の裏側に装着された裏カバー35が嵌合されている。裏カバー35は、遊技盤4 に装着された特別図柄始動入賞手段14、液晶表示手段15、可変入賞手段16等の各遊技部品を裏側から覆うためのもので、遊技盤4 に着脱自在に固定されている。
【００１９】
裏カバー35は、主制御基板36が収納された主制御基板ケース37と、ランプ制御基板38が収納されたランプ制御基板ケース39と、音声制御基板40が収納された音声制御基板ケース41とを着脱自在に備えている。裏機構板27は、払い出し制御基板42が収納された払い出し制御基板ケース43を、裏カバー35の下側近傍に着脱自在に備えている。なお、各制御基板ケース37,39,41,43 は、各基板36,38,40,42 側に装着された電気部品を外部から視認できるように有色又は無色の透明体により構成されている。
【００２０】
図４は制御系を例示するブロック図である。主制御基板36には、主制御手段45、集積回路装置46、第２報知手段47、異常情報外部出力手段70等が設けられている。集積回路装置46には、第１球検出手段25及び第２球検出手段26側の断線を夫々検出する第１断線検出手段48及び第２断線検出手段49と、第１球検出手段25及び第２球検出手段26側の短絡を夫々検出する第１短絡検出手段50及び第２短絡検出手段51が組み込まれている。
【００２１】
断線検出手段48,49 と短絡検出手段50,51 は、夫々の出力端子からＩ／Ｏポート52を経て主制御手段45へと断線信号と短絡信号とを別々に出力するように、各球検出手段25,26 毎に別々に設けられている。断線検出手段48,49 は、球検出手段25,26 側の第１の電気的異常を検出する第１異常検出手段を構成するもので、球検出手段25,26 の内部の断線、及び球検出手段25,26 に接続されたコネクタ、リード線の断線等、球検出手段25,26 側の断線を検出して断線信号を出力するようになっている。
【００２２】
また短絡検出手段50,51 は、球検出手段25,26 側の第２の電気的異常を検出する第２異常検出手段を構成するもので、球検出手段25,26 の内部の短絡及び、球検出手段25,26 に接続されたコネクタ、リード線の短絡等、球検出手段25,26 側の短絡を検出して短絡信号を出力するようになっている。
【００２３】
主制御手段45は、主に遊技盤4 側の遊技動作を制御する遊技動作制御部53と、断線検出手段48,49 からの断線信号及び短絡検出手段50,51 からの短絡信号に従って報知手段を制御する報知制御部54とを備え、ＣＰＵ、ＲＯＭ、ＲＡＭ等により構成されている。なお、遊技動作制御部53は、Ｉ／Ｏポート52を経て遊技盤4 側の遊技部品等との間で信号を授受して、遊技盤4 側の遊技動作を制御するようになっている。報知制御部54は、断線検出手段48,49 、短絡検出手段50,51 からＩ／Ｏポート52を経て送られる断線信号、短絡信号があることを条件に、各報知手段20,47 を報知制御するようになっている。
【００２４】
報知手段20,47 は、球検出手段25,26 に断線、短絡の異常が発生したときに、断線検出手段48,49 、短絡検出手段50,51 がその断線、短絡を検出することを条件に、断線、短絡の発生した球検出手段25,26 、及びその異常原因（断線、短絡の別）を報知するためのものである。
【００２５】
第１報知手段20は、図５に示すように７セグメント式表示素子等からなる２個の表示部55,56 を左右に備え、断線検出手段48,49 からの断線信号、短絡検出手段50,51 からの短絡信号に応じて、報知制御部54の報知制御により、異常が発生した球検出手段25,26 とその異常原因とを「１」「２」等の数字で報知するようになっている。即ち、左側の表示部55は、数字「１」で第１球検出手段25の異常を、数字「２」で第２球検出手段26の異常を夫々報知し、右側の表示部56は数字「１」で断線を、数字「２」で短絡を夫々報知する。
【００２６】
なお、第１報知手段20は、球検出手段25,26 の断線（第１の電気的異常）を報知する断線報知手段（第１異常報知手段）と、球検出手段25,26 の短絡（第２の電気的異常）を報知する短絡報知手段（第２異常報知手段）とを兼用する。
【００２７】
第２報知手段47は、図６に示すように主制御基板36に第１球検出手段25及び第２球検出手段26の表示と、断線及び短絡の表示とを夫々付し、その各表示に対応して主制御基板36に装着されたＬＥＤ等の４個の発光体57〜60を備えている。
【００２８】
そして、球検出手段25,26 の表示と断線の表示とに対応する上下２個の発光体57,58 により、各球検出手段25,26 の断線を報知する第１断線報知手段と第２断線報知手段とが構成され、球検出手段25,26 側に断線が発生したときに、それに対応する発光体57,58 が報知制御部54の制御により発光するようになっている。また球検出手段25,26 の表示と短絡の表示とに対応する上下２個の発光体59,60 により、各球検出手段25,26 の短絡を報知する第１短絡報知手段と第２短絡報知手段とが構成され、球検出手段25,26 側に短絡が発生したときに、それに対応する発光体59,60 が報知制御部54の制御により発光するようになっている。
【００２９】
なお、断線報知手段は第１異常報知手段を構成し、短絡報知手段は第２異常報知手段を構成している。主制御基板36側の各球検出手段25,26 の表示、断線及び短絡の表示、並びに各発光体57〜60は、透明な主制御基板ケース37の外部から視認可能である。
【００３０】
異常情報外部出力手段70は、断線検出手段48,49 からの断線異常情報と、短絡検出手段50,51 からの短絡異常情報とを一方向送信により外部装置71へと送信可能にするためのもので、コネクタ、フォトカプラー等により構成されている。なお、この異常情報外部出力手段70は、各異常情報を別々に送信可能である。外部装置71は、遊技ホール内の各パチンコ機からの遊技情報を受信して、各パチンコ機の遊技状況、その他を管理するためのもので、コンピュータ等により構成されている。
【００３１】
球検出手段25,26 は磁気感応式の無接触スイッチで、図７に第１球検出手段25を例示するように、その貫通口61を遊技球が通過するときに内部抵抗等が電気的に変化するようになっている。球検出手段25,26 は、その一対の端子64,65 に直接的又はコネクタ等を介して間接的にリード線62,63 が接続されている。またリード線62,63 は主制御基板36のコネクタ66等を介して集積回路装置46に接続されている。
【００３２】
断線検出手段48,49 及び短絡検出手段50,51 は、図７に示すように構成されている。なお、図７は第１球検出手段25に対応する第１断線検出手段48及び第１短絡検出手段50のみを例示しているが、第２球検出手段26に対応する第２断線検出手段49及び第２短絡検出手段51も同様に構成されている。
【００３３】
第１球検出手段25は、その一方の端子64がリード線62等を介して直流電源（例えば＋１２Ｖ）に、他方の端子65がリード線63を介して第１断線検出手段48及び第１短絡検出手段50に夫々接続されており、遊技球を検出しないときに所定電圧（例えば＋５Ｖ）を、遊技球を検出したときに所定電圧よりも低い検出電圧（例えば＋１Ｖ）を夫々出力して、第１断線検出手段48及び第１短絡検出手段50に入力するようになっている。
【００３４】
第１断線検出手段48は、第１スイッチング素子を構成する第１トランジスタ67と、この第１トランジスタ67の動作時間の長短により遊技球の検出と断線を判定する判定部68とを備えている。第１トランジスタ67は、第１球検出手段25の出力が検出電圧以下のときにオフし、検出電圧よりも高いときにオンするように、第１球検出手段25の出力の高低に応じて動作状態が変化するように、そのベースが第１球検出手段25に接続され、また出力側となるコレクタが直流電源（例えば＋５Ｖ）と判定部68とに接続されている。
【００３５】
判定部68は、図８（Ａ）に示すように第１トランジスタ67のＨレベルの出力時間（第１トランジスタ67の動作時間）ｔが一定時間Ｔよりも短いときに遊技球の検出と判定し、また図８（Ｂ）に示すように出力時間ｔが一定時間Ｔよりも長いときに第１球検出手段25側の断線と判定して、その判定後に前者のときに球検出信号を、後者のときに断線信号を夫々出力するようになっている。
【００３６】
なお、判定部68の前記一定時間Ｔは、遊技球が第１球検出手段25を通過するときの通過時間を考慮して、遊技球の通過に必要且つ十分な程度の時間に設定されている。
【００３７】
第１短絡検出手段50は、第２スイッチング素子を構成する第２トランジスタ69と、この第２トランジスタ69とは逆にオンオフ動作する出力用トランジスタ70とを備えている。第２トランジスタ69は、第１球検出手段25の出力が検出電圧よりも高い（短絡電圧）ときにオンするように、そのベースがツェナーダイオード71を介して第１球検出手段25に接続され、また出力側となるコレクタが直流電源（例えば＋５Ｖ）及び出力用トランジスタ70に接続されており、第１球検出手段25側が短絡したときに出力用トランジスタ70を経て短絡信号を出力するようになっている。ツェナーダイオード71のツェナー電圧は、第１球検出手段25が遊技球を検出したときの検出電圧よりも高く設定されている。
【００３８】
上記弾球遊技機において、遊技に際し発射手段9 の発射ハンドル10を操作すると、上皿7 の遊技球が発射手段9 の発射動作に連動して１個づつ発射部に供給され、その遊技球を打撃槌で打撃してガイドレール11に沿って順次遊技盤4 側に発射させて行く。
【００３９】
遊技盤4 の上部側に発射された遊技球は遊技盤4 の遊技領域12に入った後、その盤面に沿って落下する間に普通入賞手段17〜19等に入賞するか、普通図柄始動手段13を通過しながら下方へと落下する。普通図柄始動手段13の球検出手段25,26 が遊技球の通過を検出すると、普通図柄表示手段22の表示図柄が変動する。そして、この普通図柄表示手段22の変動後の停止図柄が当たり図柄になれば、特別図柄始動入賞手段14の開閉爪23が一定時間開放して、この特別図柄始動入賞手段14に遊技球が入賞し易くなる。
【００４０】
特別図柄始動入賞手段14が遊技球を検出すると、特別図柄表示手段21の表示図柄が一定時間変動する。この特別図柄表示手段21の停止後の表示図柄が大当たり図柄になれば、可変入賞手段16の開閉板24が前側に開放して遊技球が入賞し易くなる。そして、開閉板24の開放から一定時間が経過するか、又は所定数の遊技球の入賞を第２球検出手段26が検出すると、開閉板24が閉じる。また特定領域の第１球検出手段25が可変入賞手段16に入賞した遊技球を検出すれば、開閉板24が再度開放し、以下同様の開閉動作を最大１６回まで繰り返す。
【００４１】
この遊技動作中に例えば第１球検出手段25に断線、短絡が生じた場合には、第１断線検出手段48、第１短絡検出手段50は次のように動作して断線、短絡を検出する。遊技球が通過しない通常時には、第１球検出手段25が所定電圧（＋５Ｖ）を出力しており、第１断線検出手段48の第１トランジスタ67がオンし、その出力がＬレベルのままである。このため判定部68は、検出信号、断線信号の何れも出力しない。第１短絡検出手段50は、ツェナーダイオード71が導通しないので、第２トランジスタ69がオフ状態のままであり、短絡信号を出力しない。
【００４２】
第１球検出手段25が遊技球を検出すると、この第１球検出手段25の出力が前記所定電圧以下の＋１Ｖ程度に低下する。このため第１断線検出手段48の第１トランジスタ67がオフし、この第１トランジスタ67の出力がＨレベルになる。
【００４３】
しかし、図８（Ａ）に示すように、遊技球が第１球検出手段25を通過する間だけ第１断線検出手段48の出力がＨレベルを維持し、遊技球が通過し終われば、第１トランジスタ67がオフしてその出力がＬレベルになる。これによって第１トランジスタ67が一定時間Ｔ内にオフするため、判定部68は遊技球の検出と判定し、第１球検出手段25側の断線とは判定しない。
【００４４】
なお、第１短絡検出手段50は、前述と同様にツェナーダイオード71が導通しないので、第２トランジスタ69がオフ状態のままであり、短絡信号を出力しない。
【００４５】
第１球検出手段25側にコネクタ66、リード線62,63 等の断線が発生すると、第１球検出手段25の出力が０Ｖまで低下するため、第１断線検出手段48の第１トランジスタ67がオフして、その出力が遊技球の検出時と同様にＨレベルとなる。
【００４６】
しかし、断線の場合には、図８（Ｂ）に示すように、遊技球の検出時とは異なって一定時間Ｔが経過しても第１トランジスタ67がオンしないため、判定部68がその一定時間Ｔの経過によって断線と判定し、その断線信号を出力する。なお、第１短絡検出手段50が短絡信号を出力しないことは言うまでもない。
【００４７】
第１球検出手段25側のコネクタ66、リード線62,63 等の短絡が発生すると、第１球検出手段25の出力が１２Ｖとなる。このため第１短絡検出手段50のツェナーダイオード71が導通して、第２トランジスタ69がオンし、出力用トランジスタ70がオフしてその出力がＨレベルとなり、短絡信号を出力する。一方、第１断線検出手段48の第１トランジスタ67は、通常時と同様にオン状態を維持するので、この第１断線検出手段48が断線信号を出力するようなことはない。
【００４８】
このような構成の第１断線検出手段48、第１短絡検出手段50を使用すれば、第１球検出手段25の出力電圧の変化によって、第１球検出手段25側の断線、短絡を別々に検出でき、またその構成を簡単にできる。しかも第１断線検出手段48では、その判定部68により、第１トランジスタ67の出力がＨレベルとなる時間ｔが一定時間Ｔよりも短いときに遊技球の検出と判定し、長いときに断線と判定しているので、第１球検出手段25の出力が前記所定電圧よりも低いときに第１トランジスタ67がオンするように構成しているにも拘わらず、遊技球の検出と断線とを容易に区別できる。
【００４９】
なお、第１球検出手段25が遊技球を検出した場合には、判定部68に設定された一定時間Ｔの経過後に、第１球検出手段25の検出信号を出力して、その検出信号に基づいて各種の遊技制御を行うようにすれば良い。また第１球検出手段25の検出信号は、第１断線検出手段48の判定部68から一定時間Ｔの経過後に出力するようにしても良い。
【００５０】
第１断線検出手段48が第１球検出手段25の断線を検出すると、報知制御部54の報知制御により、第１報知手段20の各表示部55,56 が共に「１」を表示すると共に、第２報知手段47の発光体57が発光表示して報知する。また第１短絡検出手段50が第１球検出手段25の短絡を検出すると、報知制御部54の報知制御により、第１報知手段20の表示部55が「１」を、表示部56が「２」を夫々表示すると共に、第２報知手段47の発光体58が発光表示して報知する。なお、第２断線検出手段49、第２短絡検出手段51が第２球検出手段26の断線、短絡を検出した場合にも同様である。
【００５１】
このように各報知手段20,47 の報知によって球検出手段25,26 の断線、短絡を遊技者、管理者等に容易に報知できる。特に第１報知手段20の各表示部55,56 の「１」又は「２」の表示を見れば、弾球遊技機本体1 の前枠3 を開放しなくても、異常が発生した球検出手段25,26 と、その球検出手段25,26 の異常原因、即ち、断線か短絡かを容易に把握できる。
【００５２】
しかも、球検出手段25,26 側で断線、短絡等が発生した場合には、前枠3 を開放してその裏側からリード線62,63 、コネクタ66等の状況を確認してから、必要に応じて交換等の修理を行うことになるが、この場合にも、主制御基板ケース37内の主制御基板36に第２報知手段47があり、その第２報知手段47の発光体57〜60の発光表示により、異常が発生した球検出手段25,26 及びその異常原因を表示しているので、その球検出手段25,26 の点検、修理等も容易に行うことができる。
【００５３】
更に断線検出手段48,49 、短絡検出手段50,51 を単一の集積回路装置46内に設けているので、集積回路化せずにトランジスタ等の電気部品を組み合わせて構成する場合に比較して、全体を小型化できると共に、断線検出手段48,49 、短絡検出手段50,51 を主制御基板36に容易に装着できる。
【００５４】
図９は本発明の第２の実施形態を例示し、断線検出手段48,49 を判定部68と、この判定部68の前段側の第１トランジスタ67等を含むスイッチング回路48a,49a とに分けて、そのスイッチング回路48a,49a を短絡検出手段50,51 等と共に集積回路装置46内に設け、判定部68を主制御手段45に設けたものである。即ち、断線検出手段48,49 をスイッチング回路48a,49a と判定部68とに分け、そのスイッチング回路48a,49a を単一の集積回路装置46に設け、判定部68を主制御手段45に設けている。
【００５５】
この場合には、第１トランジスタ67のＨレベル、Ｌレベルの信号をＩ／Ｏポート52を介して主制御手段45側の判定部68に送り、その判定部68で遊技球の検出と断線との別を判定すれば良い。従って、このように構成しても、第１の実施形態と同様の効果を得ることができる。
【００５６】
このような実施形態によれば、遊技媒体検出手段25,26 側の第１の電気的異常を検出する第１異常検出手段48,49 と、遊技媒体検出手段25,26 側の第２の電気的異常を検出する第２異常検出手段50,51 とを別々に設けているので、遊技媒体検出手段25,26 側の異常を検出できると共に、その異常内容が第１の電気的異常と第２の電気的異常との何れであるかを容易に判断できる。
【００５７】
また第１の電気的異常と第２の電気的異常とを区別して検出可能な異常検出手段48,49,50,51 を設けているので、異常内容が第１の電気的異常と第２の電気的異常との何れであるかを容易に判断できる。しかも、第１異常検出手段48,49 と第２異常検出手段50,51 とを単一の集積回路装置46内に設けているので、全体を小型化できると共に、制御基板36等に容易に装着できる。
【００５８】
更に第１異常検出手段48,49 が第１の電気的異常を検出することを条件に第１の異常報知を行う第１異常報知手段20,57,59と、第２異常検出手段50,51 が第２の電気的異常を検出することを条件に第２の異常報知を行う第２異常報知手段20,58,60とを備えているので、第１の電気的異常と第２の電気的異常とを別々に報知できる。また第１異常検出手段が断線検出手段48,49 であり、第２異常検出手段が短絡検出手段50,51 であるので、遊技媒体検出手段25,26 の断線と短絡を別々に検出できる。
【００５９】
更に遊技媒体検出手段25,26 は、遊技媒体の通過を検出しないときに所定電圧を出力し、且つ遊技媒体の通過を検出したときに所定電圧よりも低い検出電圧を出力する機能を有し、第１異常検出手段48,49 は、遊技媒体検出手段25,26 の出力が検出電圧以下の場合と検出電圧よりも高い場合とでその動作状態が変化する第１スイッチング素子67と、遊技媒体検出手段25,26 の出力が検出電圧以下の場合の第１スイッチング素子67の動作時間が一定時間Ｔよりも長いときに断線と判定して断線信号を出力する判定部68とを備え、第２異常検出手段50,51 は、遊技媒体検出手段25,26 の出力が検出電圧よりも高い場合に動作して短絡信号を出力する第２スイッチング素子69を備えているので、簡単な構成で容易に実施できると共に、通常の遊技媒体の検出と遊技媒体検出手段25,26 側の断線とを確実に区別できる。
【００６０】
また第１の電気的異常と第２の電気的異常との異常情報を外部装置71に送信可能であるので、外部装置71側でもその異常情報を把握し管理できる。
【００６１】
以上、本発明の各実施形態について詳述したが、本発明は各実施形態に限定されるものではない。例えば、各実施形態では、可変入賞手段16の球検出手段25,26 側の断線、短絡を検出する場合を例示しているが、遊技盤4 側の他の普通図柄始動手段13、入賞手段14,16,17〜19に設けた球検出手段側の断線、短絡においても同様に実施することができる。また球払い出し手段31の入口側及び／又は出口側に、球払い出し手段31により払い出される遊技球及び／又は払い出された遊技球を検出する球検出手段34等を設ける場合には、その球検出手段34側の断線、短絡においても同様に実施することが可能である。
【００６２】
実施形態では、断線検出手段48,49 、短絡検出手段50,51 のスイッチング素子をトランジスタ67,69 により構成しているが、トランジスタ以外の各種のスイッチング素子を使用しても良い。また短絡検出手段50,51 のツェナーダイオード71に代替して、一定以上の電圧のときにオンする機能を備えたダイアック等のスイッチング素子を使用しても良い。
【００６３】
また実施形態では、第１異常検出手段として断線検出手段48,49 を、第２異常検出手段として短絡検出手段50,51 を夫々例示しているが、これらの異常検出手段は断線、短絡を検出するものの他、球検出手段25,26 側に起こり得る各種の電気的な異常を検出対象としても良い。従って、異常原因は断線、短絡に限定されるものではない。また球検出手段25,26 は、磁気感応式等の静止型無接触スイッチの他、可動型接触スイッチ等でも同様にできる。
【００６４】
第１報知手段20は、断線報知手段と短絡報知手段とを兼用しているが、断線報知手段と短絡報知手段とを別々に設けても良し、また第１報知手段20に表示式の報知形式を採用する場合、弾球遊技機本体1 の前側の何れかに設ければ十分である。第２報知手段47は、弾球遊技機本体1 の裏側で点検等の際に確認し易い箇所に設ければ十分である。更に異常報知手段は、第１報知手段20、第２報知手段47に代えて音声式のものを採用しても良い。また視覚的報知手段と聴覚的報知手段とを併用しても良い。
【００６５】
更に実施形態では、遊技媒体検出手段としてパチンコ機の球検出手段25,26 を例示しているが、パチンコ機、アレンジボール機、雀球遊技機等の弾球遊技機に限らず、遊技媒体としてコイン等を使用する回胴式遊技機においても、そのコイン検出手段等の遊技媒体検出手段側の異常検出用としても利用可能である。
【図面の簡単な説明】
【００６６】
【図１】本発明の第１の実施形態を示す弾球遊技機の正面図である。
【図２】本発明の第１の実施形態を示す弾球遊技機の背面図である。
【図３】本発明の第１の実施形態を示す遊技盤の正面図である。
【図４】本発明の第１の実施形態を示す制御系のブロック図である。
【図５】本発明の第１の実施形態を示す報知手段の正面図である。
【図６】本発明の第１の実施形態を示す報知手段の正面図である。
【図７】本発明の第１の実施形態を示す検出回路図である。
【図８】本発明の第１の実施形態を示すタイムチャートである。
【図９】本発明の第２の実施形態を示す制御系のブロック図である。
【符号の説明】
【００６７】
25  第１球検出手段
26  第２球検出手段
48  第１断線検出手段（第１検出手段）
49  第２断線検出手段（第１検出手段）
50  第１短絡検出手段（第２検出手段）
51  第２短絡検出手段（第２検出手段）
【図１】
2004154595.tif 000003
【図２】
2004154595.tif 000004
【図３】
2004154595.tif 000005
【図４】
2004154595.tif 000006
【図５】
2004154595.tif 000007
【図６】
2004154595.tif 000008
【図７】
2004154595.tif 000009
【図８】
2004154595.tif 000010
【図９】
2004154595.tif 000011